(57)【特許請求の範囲】
【請求項１】
電力ケーブル線路の途中に設けられ、分岐接続体本体に前後２本の幹線ケーブルと分岐ケーブルとがオス型接続子とメス型接続子とを嵌合させて接続される電力ケーブル分岐接続部であって、前記分岐接続体本体と前記幹線ケーブル又は分岐ケーブルとの間には、前記分岐接続体本体の接続子と嵌合可能な第１の接続子と前記幹線ケーブル又は分岐ケーブルの接続子と嵌合可能な第２の接続子とを両端に有し、それらの中間部に接地線を接続する第３の接続子を有している導体接地アダプタを設けたことを特徴とする電力ケーブル分岐接続部。
【発明の詳細な説明】
【０００１】
【発明の属する技術分野】
本発明は、電力用ケーブル幹線の途中でケーブルを分岐させるための電力ケーブル分岐接続部に関するものである。
【０００２】
【従来の技術】
従来から、鉄道の各駅に電力を供給するため、鉄道線路に沿わせて電力ケーブルを敷設し、各駅毎に該ケーブルに分岐ケーブルを分岐接続し、該分岐ケーブルから各駅に必要な電力を供給するようにしている。また、電力ケーブル１本の長さは２００〜３００ｍが限度であるため、駅と駅との間でもケーブルを接続する必要がある。従来、そのような接続部は、事故発生時に事故区間を容易に分離できるように、Ｅ型分岐接続が採用され、その接続部を  地上に設けた接続箱の中に収納するようにしている。
【０００３】
図４は、Ｅ分岐接続部を有するケーブル線路の一例を示す図である。図４において、１Ａ〜Ｃ，２Ａ〜Ｃ，３Ａ〜Ｃはケーブル端末、４Ａ〜Ｃは分岐接続体本体、５Ａ〜Ｃは分岐接続箱、６は電源側幹線ケーブル、７Ａ〜Ｃは幹線ケーブル、８Ａ〜Ｃは分岐ケーブルである。図４では、１相分だけ示しているが、実際には、同様な設備が３相分存在する。
【０００４】
Ａ駅においては、電源側幹線ケーブル６，幹線ケーブル７Ａ及び分岐ケーブル８Ａのケーブル端末１Ａ，２Ａ，３Ａが、分岐接続体本体４Ａに差し込まれる形で取り外し可能な状態で一体的に接続されている。この接続部は、接続された時の形がＥ字型をしているため「Ｅ型分岐接続部」と呼ばれている。電源側幹線ケーブル６は、分岐接続箱５Ａから立ち上げられ、架空線を経て変電所へ接続される。また、幹線ケーブル７Ａは、次の駅との中間のＢ地点に設けられたＥ型分岐接続部まで延設される。分岐ケーブル８Ａは、変圧器等を介してＡ駅の構内に接続される。Ｂ地点及びＣ駅の接続部においても同様に接続される。
【０００５】
そのようなケーブル線路において、例えば、Ｃ駅で工事を行う場合、電源側幹線ケーブル６を電源から切り離した後、安全のため電源側幹線ケーブル６の先の導体露出部分を接地し、さらに、Ｂ地点において、幹線ケーブル７Ｂのケーブル端末２Ｂを分岐接続体本体４Ｂから取り外してから作業を行うようにしていた。そのようにすれば、工事中に誤って、電源側幹線ケーブル６を電源に接続してしまうことがあっても、電源側幹線ケーブル６の導体が接地されている上、幹線ケーブル７Ｂが切り離されていて、２重に安全が図られているため、Ｃ駅での工事を安全に行うことができる。なお、Ｃ駅で工事を行う場合は、Ｃ駅の分岐接続部で接地を行うことが最も望ましいことであるが、分岐接続部では、導体を露出できる箇所がないため、その場所で接地できないのが現状である。
【０００６】
【発明が解決しようとする課題】
そのような現状から、電源側幹線ケーブル６を電源から切り離す地点及び電源側幹線ケーブル６の導体接地点と工事箇所とが遠く離れているため、何らかの勘違いで、工事が終了したものと思い込み、接地線を取り外して電源を投入してしまうことも起こりうる。また、Ｂ地点もＣ駅からは遠く離れているため、Ｃ駅で工事を行うに当たって、Ｂ地点まで行って分岐接続体本体４Ｂから幹線ケーブル７Ｂを取り外すのが面倒で、ついつい、取り外さないまま工事を始めてしまうおそれも少なからずある。そのような事情から、工事中に感電事故が発生する可能性があるという問題点があった。
【０００７】
本発明は、そのような問題点を解決し、工事を行う箇所で直接導体を接地できるようにして、工事中の感電事故を確実に防止できるようにすることを目的とするものである。
【０００８】
【課題を解決するための手段】
前記課題を解決するため、本発明の電力ケーブル分岐接続部は、電力ケーブル線路の途中に設けられ、分岐接続体本体に前後２本の幹線ケーブルと分岐ケーブルとがオス型接続子とメス型接続子とを嵌合させて接続される電力ケーブル分岐接続部であって、前記分岐接続体本体と前記幹線ケーブル又は分岐ケーブルとの間には、前記分岐接続体本体の接続子と嵌合可能な第１の接続子と前記幹線ケーブル又は分岐ケーブルの接続子と嵌合可能な第２の接続子とを両端に有し、それらの中間部に接地線を接続する第３の接続子を有している導体接地アダプタを設けたことを特徴とする。このようにすると、工事を行う箇所で直接導体を接地できるようになり、工事中の感電事故を確実に防止できる。さらに、分岐接続体本体やケーブル端末は、従来用いられていたものをそのまま用いることができ、また、導体接地アダプタを取り付けた状態でも、全体がコンパクトになって、それらを収納する分岐接続箱も、従来のものをそのまま利用することができ、最少限のコストで済ませることができる。
【０００９】
【発明の実施の形態】
以下、本発明の実施の形態を図面に基づいて詳細に説明する。
図１は、本発明の一実施形態を示す図である。図１において、１〜３はケーブル端末、４は分岐接続体本体、７は幹線ケーブル、８は分岐ケーブル、９は検電端子キャップ、１０は導体接地アダプタ、１１はキャップである。なお、導体接地アダプタ１０とキャップ１１は、他の部分と識別できるようにするため、点々を付して示している。
【００１０】
このＥ型分岐接続部は、図４に示したような電力ケーブル線路の途中に設けられ、分岐接続体本体４に前後２本の幹線ケーブル７，７と分岐ケーブル８とがオス型接続子とメス型接続子とを嵌合させた状態で接続されている。また、一方の幹線ケーブル７のケーブル端末１と分岐接続体本体４との間には、接地線を接続可能な導体接地アダプタ１０が設けられている。常時は、導体接地アダプタ１０の接地線接続部にキャップ１１が取り付けられていて、接続部を保護するとともに安全を確保している。このような分岐接続部が３相分、導体接地アダプタ１０のキャップ１１が被せられている接地線接続部を前側にして並列状に配置され、分岐接続箱の中に収納される。
【００１１】
図２は、導体接地アダプタを接続した部分の一部破断図であり、図３は、導体接地アダプタの断面図である。図２，図３において、１２はアダプタ中心導体、１３は絶縁層、１４は外部導電層、１５は内部導電層、１６はオス型接続子、１７はケーブル接続用のメス型接続子、１８は接地線接続用のメス型接続子、１９〜２１はそれぞれオス型接続子１６，メス型接続子１７，１８をアダプタ中心導体１２に接続するための接続ボルト、２２は雌ネジ、２３は分岐接続体中心導体、２４は絶縁層、２５は外部導電層、２６はメス型接続子、２７は検電端子、２８はケーブルのオス型接続子、２９はケーブル導体接続子である。
【００１２】
導体接地アダプタ１０のオス型接続子１６は、分岐接続体本体４に設けられていて、前記メス型接続子１７，１８と同じ構造及びサイズのメス型接続子２６と嵌合接続される。また、メス型接続子１７には、幹線ケーブル７の先端に取り付けられていて、前記オス型接続子１６と同じ構造及びサイズのオス型接続子２８が挿入されて嵌合接続される。
【００１３】
そして、当該分岐接続部で工事を行う際には、図４のものにおける電源側幹線ケーブル６を電源から切り離した後、キャップ１１を取り外し、メス型接続子１８に接地線の先端に取り付けられたオス型接続子を接続する。接地線に取り付けられているオス型接続子も前記オス型接続子１６，２８と同じ構造及びサイズのものである。そして、そのオス型接続子の外側を囲むように円筒状部材が設けられ、その先端外周部に雄ネジが形成されていて、それを雌ネジ２２にねじ込んで接地線を固定するようにしている。
【００１４】
このようにして、工事中、現場で接地ができるので、手違いで電源側幹線ケーブル６が電源に投入されることがあっても、地落継電器が直ちに作動して電源を遮断するため、工事作業者の安全が確保される。しかも、導体接地アダプタ１０の各接続子は、従来の分岐接続体本体４やケーブル端末１，２，３の接続子と同じ構造及びサイズのものを用い、その導体接地アダプタ１０を分岐接続体本体４とケーブル端末との間に配置するようにしたので、ケーブル端末１〜３や分岐接続体本体４は、従来のものをそのまま利用することができる。
【００１５】
また、分岐接続箱の扉を開ければ、導体接地アダプタ１０のキャップ１１が前側に出ているので、キャップ１１を外して正面から接地作業ができる。また、導体接地アダプタ１０の接地線用のメス型接続子１８に課電試験用のケーブルを接続して課電試験を行うことも可能になる。さらに、接地線用のメス型接続子１８を使って臨時の分岐ケーブルを接続することもできる。
【００１６】
【発明の効果】
本発明は、以上説明したように構成されているので、次に記載するような効果を奏する。
すなわち、電力ケーブル線路の途中に設けられ、分岐接続体本体に前後２本の幹線ケーブルと分岐ケーブルとがオス型接続子とメス型接続子とを嵌合させて接続される電力ケーブル分岐接続部であって、前記分岐接続体本体と前記幹線ケーブル又は分岐ケーブルとの間には、前記分岐接続体本体の接続子と嵌合可能な第１の接続子と前記幹線ケーブル又は分岐ケーブルの接続子と嵌合可能な第２の接続子とを両端に有し、それらの中間部に接地線を接続する第３の接続子を有している導体接地アダプタを設けた。その結果、工事を行う箇所で直接導体を接地できるようになり、工事中の感電事故を確実に防止できる。さらに、分岐接続体本体やケーブル端末は、従来用いられていたものをそのまま用いることができ、また、導体接地アダプタを取り付けた状態でも、全体がコンパクトになって、それらを収納する分岐接続箱も、従来のものをそのまま利用することができ、最少限のコストで済ませることができる。
【図面の簡単な説明】
【図１】本発明の一実施形態を示す図である。
【図２】導体接地アダプタを接続した部分の一部破断図である。
【図３】導体接地アダプタの断面図である。
【図４】Ｅ分岐接続部を有するケーブル線路の一例を示す図である。
【符号の説明】
１〜３…ケーブル端末
４…分岐接続体本体
５…分岐接続箱
６…電源側幹線ケーブル
７…幹線ケーブル
８…分岐ケーブル
９…検電端子キャップ
１０…導体接地アダプタ
１１…キャップ
１２…アダプタ中心導体
１３，２４…絶縁層
１４，２５…外部導電層
１５…内部導電層
１６，２８…オス型接続子
１７，１８，２６…メス型接続子
２２…雌ネジ
２３…分岐接続体中心導体
２７…検電端子
２９…ケーブル導体接続子
【図１】
0003571958.tif 000002
【図２】
0003571958.tif 000003
【図３】
0003571958.tif 000004
【図４】
0003571958.tif 000005